(57)【要約】【課題】プランジャ動作力量特性を応答性を低下させることなく改善できるシャッタ駆動装置と内蔵し、さらに、鏡枠ぶれの少ないレンズ鏡筒を提供する。【解決手段】シャッタ駆動装置を有するフォーカスユニット７は、磁石３７付き２群ガイド枠２１と、２群ガイド枠２１に一体的に固着され、プランジャソレノイド装置５５が取り付けられるＬＤ地板２２と、２群ガイド枠２１に対して相対移動可能に支持され、プランジャソレノイド装置５５により駆動されるシャッタ羽根を支持する鉄板３８付き２群枠２３とを有しており、２群枠２３は、２群ガイド枠２１に対して磁石３７により鉄板３８を介して片寄せられて支持されるので２群ガイド枠２１に対して相対回動のガタつきがなく支持される。さらに、プランジャソレノイド装置５５は、磁石３７の磁束により吸着力特性が向上する。【選択図】    図４
2005043513.tif 000002
【特許請求の範囲】
【請求項１】
ソレノイドと、
上記ソレノイドにより駆動されるプランジャと、
上記ソレノイドの近傍に配置された磁石と、
上記プランジャの移動により駆動されるシャッタ羽根と、
を有することを特徴とするシャッタ駆動装置。
【請求項２】
ソレノイドと、
上記ソレノイドにより駆動され、軸方向に移動可能な磁性体から成るプランジャと、
上記ソレノイドの近傍に配置された永久磁石と、
上記プランジャの移動により駆動されるシャッタ羽根と、
を有することを特徴とするシャッタ駆動装置。
【請求項３】
ソレノイドと、
上記ソレノイドにより駆動され、軸方向に移動可能な磁性体から成るプランジャと、
上記ソレノイドの近傍に配置された磁石と、
上記プランジャの移動により駆動されるシャッタ羽根と、
上記ソレノイドを支持する第１の枠と、
上記磁石の磁束を受ける磁性体が配置され、上記第１の枠に案内され、上記１の枠に対し相対移動する第２の枠と、
を有するレンズ鏡枠。
【請求項４】
上記請求項１若しくは上記請求項２の上記シャッタ駆動装置と、
上記シャッタ駆動装置の上記ソレノイドを支持する第１の枠と、
上記磁石の磁束を受ける磁性体が配置され、上記第１の枠に案内され、上記第１の枠に対し相対移動する第２の枠と、
を有するレンズ鏡枠。
【発明の詳細な説明】
【０００１】
【発明の属する技術分野】
本発明は、カメラ等のシャッタ装置のアクチュエータに適用されるシャッタ駆動装置、および、該シャッタ駆動装置が組み込まれるレンズ鏡筒に関する。
【０００２】
【従来の技術】
従来、カメラ等のシャッタ装置を駆動するシャッタ駆動装置としてプランジャソレノイド装置がある。このプランジャソレノイド装置においては、吸引力量がプランジャストロ−クに対して指数的に増減する。そこで、負荷が作用したプランジャを長い変位をより均一な作動力で移動させることができる電磁機構（プランジャソレノイド装置）が特許文献１に提案されている。この電磁機構は、先端部に永久磁石を固着したプランジャを適用するものであり、上記永久磁石によって発生する磁束を増加させ、かつ、磁束分布をコイル側に偏らせてプランジャの動作（吸引）力量特性を改善するものである。
【０００３】
一方、シャッタ装置を有するレンズ鏡筒に関して、シャッタ装置を保持する保持枠のシャッタ駆動時の振れ防止機構が組み込まれたレンズ鏡筒が特許文献２に提案されている。このレンズ鏡筒は、シャッタ装置を保持する第１の保持枠と第１の保持枠を進退自在に保持する第２の保持枠とを有しており、上記第１，２の保持枠を光軸と交差する方向に引き寄せるための永久磁石が配されている。上記磁石の吸引力によって第１の保持枠のシャッタ開閉駆動時における振れが防止される。
【０００４】
【特許文献１】
特許文献１は、特公昭６３−４６９６６号公報である。
【０００５】
【特許文献２】
特許文献２は、特開平６−２４２４８４号公報である。
【０００６】
【発明が解決しようとする課題】
しかし、特許文献１に提案されている電磁機構によれば、プランジャに永久磁石を固着することから、その永久磁石分だけ可動質量が増大する。従って、例えばシャッタ装置の開閉動作の応答性が悪くなり、さらにはシャッタ振れが生じやすくなる可能性もある。
【０００７】
一方、特許文献２に提案されているレンズ鏡筒では、第１の保持枠のシャッタ駆動時の振れが防止され、像振れのない良好な撮影画像が得られることになるが、上記永久磁石を装着することによる効果が上記振れ発生の防止のみに止まり、さらなる効果を奏するものではない。
【０００８】
本発明は、上述の事情に鑑みてなされたものであり、プランジャ動作力量特性が応答性を低下させることなく改善できるシャッタ駆動装置を提供することを目的とし、また、上記シャッタ駆動装置が組み込まれ、鏡枠ぶれの少ないレンズ鏡筒を提供することを他の目的とする。
【０００９】
【課題を解決するための手段】
本発明の請求項１記載のシャッタ駆動装置は、ソレノイドと、上記ソレノイドにより駆動されるプランジャと、上記ソレノイドの近傍に配置された磁石と、上記プランジャの移動により駆動されるシャッタ羽根とを有しており、ソレノイドによる磁束の他に上記磁石によって発生する磁束が上記プランジャに作用する。
【００１０】
本発明の請求項２記載のシャッタ駆動装置は、ソレノイドと、上記ソレノイドにより駆動され、軸方向に移動可能な磁性体から成るプランジャと、上記ソレノイドの近傍に配置された永久磁石と、上記プランジャの移動により駆動されるシャッタ羽根とを有しており、ソレノイドによる磁束の他に上記磁石によって発生する磁束が上記プランジャに作用する。
【００１１】
本発明の請求項３記載のレンズ鏡枠は、ソレノイドと、上記ソレノイドにより駆動され、軸方向に移動可能な磁性体から成るプランジャと、上記ソレノイドの近傍に配置された磁石と、上記プランジャの移動により駆動されるシャッタ羽根と、上記ソレノイドを支持する第１の枠と、上記磁石の磁束を受ける磁性体が配置され、上記第１の枠に案内され、上記１の枠に対し相対移動する第２の枠とを有しており、上記第２の枠は、上記第１の枠に案内され、かつ、片寄せされながら相対移動する。
【００１２】
本発明の請求項４記載のレンズ鏡枠は、上記請求項１若しくは上記請求項２の上記シャッタ駆動装置と、上記シャッタ駆動装置の上記ソレノイドを支持する第１の枠と、上記磁石の磁束を受ける磁性体が配置され、上記第１の枠に案内され、上記第１の枠に対し相対移動する第２の枠とを有しており、上記第２の枠は、上記第１の枠に案内され、かつ、片寄せされながら相対移動する。
【００１３】
【発明の実施の形態】
以下、本発明の実施の形態を図に基づいて説明する。
図１，２は、本発明の一実施形態であるレンズ鏡筒の縦断面図であり、図１は、撮影可能なズームワイド状態を示し、図２は、撮影可能なズームテレ状態を示している。なお、以下の説明において、レンズ鏡筒における被写体側を前方側とし、結像側を後方側（または、背面側）とする。また、部材の回転方向は、前方側から見たときの回転方向で示す。
【００１４】
本実施形態のレンズ鏡筒は、図１，２に示すように固定枠１と、固定枠１に対して回転，進退自在に支持される第１の回転枠２と、固定枠に対して回転規制され、回転枠２とともに進退移動するフロートキー４と、回転枠２に対して一体的に回転し、フロートキー４により進退駆動される第２の回転枠３と、フロートキー４により回転規制され、かつ、回転枠３とともに進退移動するフロートキー５と、フロートキー５により回転規制され、かつ、回転枠３により進退駆動される１群枠６と、フロートキー５により回転規制され、かつ、回転枠３により進退駆動されるレンズ鏡枠を構成するフォーカスユニット７および３群枠８と、フォーカスユニット７と３群枠８を離間させる方向に付勢する圧縮バネで形成される付勢バネ９と、光軸Ｏを有する撮影光学系として、１群枠６に保持される１群レンズ１１，２群枠２３に保持される２群レンズ１２，３群枠８に保持される３群レンズ１３と、１群枠６とフォーカスユニット７の間に配される蛇腹遮光ゴム１７と、各枠部材間に配されるリング状の遮光ゴム１８，１９，２０とを主に有してなる。
【００１５】
固定枠１には、その内周部に雌ヘリコイドネジ１ａと、該ヘリコイドネジに重畳する直進溝１ｂが設けられる。
【００１６】
回転枠２は、その外周後方部にギヤ部が重畳される雄ヘリコイドネジ２ａを有しており、この雄ヘリコイドネジ２ａを固定枠１の雌ヘリコイドネジ１ａに螺合させて取り付けられる。そして、回転枠２は、図示しない長尺の駆動用ギヤにより上記ギヤ部を介して回転駆動される。その回転により回転枠２は、光軸Ｏ方向に進退移動する。
【００１７】
フロートキー４は、回転枠２の内周部にてバヨネット機構を介して結合し、かつ、その外周後方部に突出する突起４ａが固定枠１の直進溝１ｂに摺動自在に嵌入して取り付けられている。従って、このフロートキー４は、固定枠１によって回転規制された状態で回転枠２とともに光軸Ｏに進退移動する。
【００１８】
回転枠３は、回転枠２の直進溝２ａに対して後端外周に突出するガイドピン１４がスライド自在に嵌入し、かつ、フロートキー４の内周の雌ヘリコイドネジ４ｂに雄ヘリコイドネジ３ａが螺合した状態で取り付けられている。従って、この回転枠３は、回転枠２とともに回転しながら、回転枠２に対して相対的に光軸Ｏ方向に進退移動する。
【００１９】
フロートキー５は、回転枠３の内周部にてバヨネット機構を介して結合し、かつ、その外周後方部に突出する突起５ａがフロートキー４の雌ヘリコイドネジ４ｂに重畳する直進ガイド溝４ｃに摺動自在に嵌入して取り付けられる。従って、このフロートキー５は、フロートキー４を介して回転規制された状態で回転枠３とともに光軸Ｏに進退移動する。
【００２０】
１群枠６は、フロートキー５の直進ガイド部５ｂに対して直進ガイド溝６ｂをスライド自在に嵌入させ、回転枠３の雌ヘリコイドネジ３ｂに雄ヘリコイドネジ６ａを螺合させた状態で回転枠３内に取り付けられている。従って、１群枠６は、フロートキー５により回転規制された状態で回転枠３の回転により光軸Ｏ方向に進退移動する。なお、１群枠６の前面部には、飾り板１０が接着固定されている。
【００２１】
フォーカスユニット７は、シャッタ駆動装置を内蔵するレンズ鏡枠であり、ガイドロッド２７を有し、第１の枠を構成する２群ガイド枠２１と、２群ガイド枠２１の前面の装着される枠蓋２６と、レンズ駆動源やシャッタ駆動源等が配され、２群ガイド枠２１に対して一体的に固定され、第１の枠を構成するＬＤ（レンズ駆動用）地板２２と、２群ガイド枠２１に対して相対的に進退駆動される第２の枠としての２群枠２３と等を有してなる。なお、２群枠２３には、前面側にシャッタ羽根およびシャッタ蓋等が装着され、その後方側に２群レンズが保持される。
【００２２】
そして、フォーカスユニット７は、該ユニットに内蔵される２群ガイド枠２１の凸部２１ｂがフロートキー５内部にその直進ガイド溝５ｂに嵌入した状態で光軸Ｏ方向に直進ガイドされて支持される。また、フォーカスユニット７は、回転枠３のカム溝３ｃに嵌入する２群ガイド枠２１のカムフォロワ１５を介して回転枠３の回転に伴って相対的に進退駆動される。このフォーカスユニット７のさらなる詳細構造については、後で説明する。
【００２３】
３群枠８は、該３群枠の凸部８ａがフロートキー５の直進ガイド溝５ｃに嵌入し、光軸Ｏ方向に直進ガイドされた状態で支持されており、回転枠３のカム溝３ｄに嵌入する該３群枠のカムフォロワ１６を介して回転枠３に対して相対的に進退駆動される。
【００２４】
次に、上述した構成を有する本実施形態のレンズ鏡筒における各鏡枠進退動作ついて説明する。
本レンズ鏡筒において、非撮影状態では、回転枠２，３や１群枠６等の鏡枠は、図１に示すワイド状態の繰り出し位置から固定枠１の内部に略収納される沈胴位置に繰り込まれている。
【００２５】
撮影時には図１、または、図２に示す撮影可能なワイド状態、または、テレ状態の位置に回転枠２の回転に伴って回転枠２，３，１群枠６，フォーカスユニット７および３群枠がそれぞれ光軸Ｏ方向に繰り出される。すなわち、図示しないレンズ駆動ギヤにより回転枠２を回動駆動すると、回転枠２は、固定枠１の雌ヘリコイドネジ１ａを介して前方に繰り出される。フロートキー４は、回転することなく回転枠２とともに前方に繰り出される。回転枠３は、回転枠２とともに回転しながら繰り出されるが、その繰り出し位置は、フロートキー４の雌ヘリコイドネジ４ａを介して繰り出されることから回転枠３よりもさらに前方に繰り出される。フロートキー５は、フロートキー４により回転規制された状態で回転枠３とともに繰り出される。また、１群枠６は、フロートキー５により回転規制された状態で回転枠３の雌ヘリコイドネジ３ｂを介して回転枠３よりも前方に繰り出される。フォーカスユニット７は、フロートキー５によって回転規制された状態で回転枠３のカム溝３ｃによって繰り出される。フォーカスユニット７に内蔵される２群枠２３は、後述するフォーカス駆動機構部により２群ガイド枠２１に対して光軸Ｏ方向に沿って相対的に進退駆動される。さらに、３群枠８は、フロートキー５によって回転規制された状態で回転枠３のカム溝３ｄによって繰り出される。
【００２６】
次に、フォーカスユニット７の詳細な構成について、図３〜９を用いて説明する。
図３は、上記フォーカスユニットの斜視図である。図４は、上記フォーカスユニットの分解斜視図である。図５は、上記フォーカスユニットの２群枠におけるシャッタ羽根とシャッタ駆動レバーの組み付け配置状態を示す斜視図である。図６は、上記２群枠を後方から見た斜視図であって、２群枠側の鉄板部材とＬＤ地板側のプランジャソレノイド装置と２群ガイド枠側の磁石部材の位置関係を示す。図７，８は、上記２群枠上のシャッタ羽根の状態を前方（被写体側）から見た正面図であって、そのうち図７は、上記シャッタ羽根の閉状態と、フォーカス駆動機構部の配置、および、プランジャソレノイド装置と磁石と鉄板部材の光軸直交断面上での配置を合わせて示し、図８は、上記シャッタ羽根の開状態を示す。図９は、図７のＡ−Ａ断面であって、上記２群枠のフォーカス駆動機構部を示す。
【００２７】
図３，４に示すようにフォーカスユニット７は、２群ガイド枠２１と、レンズ，シャッタ駆動源が装着され、２群ガイド枠２１の後側に一体的に取り付けられるＬＤ地板２２と、シャッタ羽根，遮光羽根及び２群レンズ等が組み込まれ、フォーカシング時に２群ガイド枠２１に対して光軸Ｏ方向に相対駆動されるフォーカス枠としての２群枠２３と、２群枠２３の前面に取り付けられるシャッタ蓋２５と、２群ガイド枠２１の前面に取り付けられる枠蓋２６と、２群枠２３を光軸Ｏ方向に摺動自在に支持するガイドロッド２７とを主に有してなる。
【００２８】
ＬＤ地板２２は、中央開口部２２ａを有する枠部材であって、その前面側にシャッタ羽根，遮光羽根の駆動源であって、シャッタ駆動装置を構成するプランジャソレノイド装置５５と、フォーカス駆動源であるフォーカスモータ４１と、フォーカス駆動用ギヤ列４６と、フォーカス駆動用ギヤ列４６を介して２群枠２３を進退駆動するフォーカス駆動機構部と、フォーカスモータ回転量検出用フォトインタラプタ６１と、シャッタ羽根移動位置検出用フォトインタラプタ６３等が組み込まれる。このＬＤ地板２２は、２群ガイド枠２１に対して背面側からフック２２ｃで仮止めした後、ビス挿通穴２２ｂを挿通させたビス７１ａ、および、ビス挿通穴２２ｄを挿通させたビス７１ｂを２群ガイド枠２１に螺着させて固定される。
【００２９】
プランジャソレノイド装置５５は、コイルからなるソレノイド５８と、ソレノイドを支持し、その側方に配される磁性体からなるヨーク５９と、ソレノイド５８により駆動されるプランジャ５６と、該ソレノイドと該プランジャとの間に介在され、該プランジャを突出方向（シャッタ羽根閉方向）に付勢する第２の付勢部材としてのプランジャバネ５７とを有している。このプランジャソレノイド装置５５は、ヨーク５９を介してＬＤ地板２２に取り付けられる。プランジャ５６のスライド方向は、光軸Ｏとの垂直面に沿った方向とする。プランジャ５６の先端には後述するシャッタ駆動レバー２９の端部２９ｂが当接する。
【００３０】
フォーカスモータ４１は、光軸Ｏと平行方向に沿った出力軸を有しており、該出力軸には、ピニオン４２が固着されている。ピニオン４２は、フォーカス駆動用ギヤ列４６の初段ギヤ４７に噛合する。この出力軸の回転量は、フォーカス駆動用ギヤ列４６中のギヤ４８の軸に取り付けられたスリット板６２の回転を検出するフォトインタラプタ６１の出力によって検知される。
【００３１】
フォーカス駆動用ギヤ列４６の終段ギヤ４９は、該ギヤと一体的な送りネジ５０を有し、光軸Ｏと平行な軸であるギヤ支持軸５１により支持される。ギヤ支持軸５１は、その両端がＬＤ地板２２に軸穴２２ｃと２群ガイド枠２１の軸穴２１ｅに回転自在に支持されている。また、送りネジ５０には、後述する相対駆動用ナット５２が螺合している。なお、この送りネジまわりの詳細な構造（フォーカス駆動機構部）については後述する。
【００３２】
２群ガイド枠２１は、中央開口部２１ａを有する枠部材であって、図４等に示すように外周部３ヶ所（２ヶ所が図示される）に凸部２１ｂが設けられ、その凸部にそれぞれカムフォロワ１５が固着される。さらに、２群ガイド枠２１には、ロッド支持穴２１ｃ、ガイド凹部２１ｄ、フック部２１ｆ等が設けられる。なお、ロッド支持穴２１ｃとガイド凹部２１ｄとは、光軸Ｏを中心に略対向するような位置に配置される。
【００３３】
また、２群ガイド枠２１の磁石取り付け部２１ｉには永久磁石である磁石部材３７が固着されている。この磁石部材３７は、平板形状を有し、平板の表裏面を着磁面とし、図７に示すように磁石部材３７の内側（中央開口部２１ａ側）の着磁面が２群枠２３のレンズ保持部外周２３ｋに固着される鉄板部材３８（後述）と対向し、かつ、わずかな隙間をもって配置される。そして、磁石部材３７の光軸Ｏ回りの配設位置は、ＬＤ地板２２側に取り付けられたプランジャソレノイド装置５５のプランジャ５６の先端と光軸Ｏとを結んだ線上のプランジャソレノイド装置５５の近傍位置とする。
【００３４】
２群枠２３は、中央にシャッタ開口部２３ａを有する枠部材であって、２群レンズおよびシャッタ装置が組み込まれている。すなわち、この２群枠２３には、該開口部２３ａの後方側に２群レンズ１２（図１，２）が保持され、前面側にシャッタ装置（シャッタ駆動装置）として撮影光路を開閉する一対のシャッタ羽根である第１のシャッタ羽根３１と第２のシャッタ羽根３２が一対の軸である支持ピン２３ｄと支持ピン２３ｅに回動自在に支持されている。さらに、シャッタ装置として撮影光の漏れを遮光する遮光羽根３３が支持ピン２３ｆにより回動可能に支持されている。また、背面側上方部に光軸Ｏ方向に突出する軸部２３ｇ（図４，７）にはシャッタ駆動レバー２９が回動可能に取り付けられている。そして、２群枠２３の上方部に光軸Ｏ方向と平行なスリーブ２８が接着固定される。また、２群枠２３のスリーブ２８に対して光軸Ｏ中心に略対向する位置に外方に突出する回り止め用ガイド凸部２３ｂが設けられる。２群枠２３のレンズ保持部外周２３ｋの表面には、２群ガイド枠２１側の磁石部材３７と僅かな隙間をもって対向する位置に磁性体である鉄板部材３８が固着される。そして、鉄板３８と２群ガイド枠２１側の磁石部材３７とは、レンズ保持部外周２３ｋとシャッタ駆動レバー２９とプランジャソレノイド装置５５とでできる三角状の空間に位置する。
【００３５】
なお、支持ピン２３ｄ，２３ｅは、シャッタ駆動レバー２９のシャッタ駆動ピン２９ｃが挿通するピン挿通長穴２３ｃの両側の略等距離位置に配置される。また、支持ピン２３ｆは、ピン挿通長穴２３ｃに対して支持ピン２３ｄの外側の位置、すなわち、開口２３ａに対して支持ピン２３ｄより遠い位置に配置される。
【００３６】
スリーブ２８は、まず、２群枠２３に対してガタのある状態で挿入される。そして、該スリーブの内径部が２群レンズ１２の光軸Ｏと平行で、かつ、光軸Ｏから所定の距離離間した状態で位置するように治具等で位置決めした状態で２群枠２３に接着，固定される。このスリーブ２８には、２群枠２３を摺動自在に支持するガイドロッド２７が嵌入される。
【００３７】
シャッタ駆動レバー２９は、プランジャ５６によって駆動される被駆動部材であり、かつ、遮光羽根を含むシャッタ羽根を回動駆動する駆動部材である。そして、このシャッタ駆動レバー２９は、軸部２３ｇに回動自在に嵌合する軸穴２９ａと、プランジャ５６の先端に当接する端部２９ｂと、２群枠２３のピン挿通長穴２３ｃを挿通して前方側に突出し、シャッタ羽根，遮光羽根に係合するシャッタ駆動ピン２９ｃを有している。
【００３８】
シャッタ駆動レバー２９は、第１の付勢部材であるシャッタバネ３０により時計回り（前方より見て）に付勢されている。その付勢方向は、シャッタ駆動レバー２９の端部２９ｃがプランジャ５６の先端側に当接する方向であり、かつ、シャッタ羽根３１，３２，遮光羽根３３を開放する方向である。このシャッタバネ３０のシャッタ駆動レバー２９に対する付勢力は、プランジャ５６側の付勢バネ５７の付勢力より弱い。従って、プランジャソレノイド装置５５がオフ状態になるとシャッタ駆動レバー２９は、付勢バネ５７の付勢力によってプランジャ５６を介してシャッタ閉方向に回動駆動される。
【００３９】
なお、シャッタ駆動レバー２９とプランジャ５６とは、フォーカス駆動時に光軸Ｏ方向に相対移動することからプランジャ５６の先端との当接状態を維持するためにシャッタ駆動レバー２９の端部２９ｂは、光軸Ｏ方向に平行である軸穴２９ａ方向と平行に延びた形状を有している。
【００４０】
第１のシャッタ羽根３１は、シャッタ開口２３ａを第２のシャッタ羽根３２と協働して開閉可能な遮光部を有している。そして、シャッタ羽根３１は、２群枠２３の前面側にて回動ピン穴３１ａを支持ピン２３ｄに嵌入させ、かつ、駆動用長穴３１ｂをシャッタ駆動レバー２９の駆動ピン２９ｃに嵌入させた状態で回動可能に支持される。
【００４１】
第２のシャッタ羽根３２は、シャッタ開口２３ａを第１のシャッタ羽根３１と協働して開閉可能な開口縁部３２ｃをもつ遮光部を有している。すなわち、第２のシャッタ羽根３２は、第１のシャッタ羽根３１に対してシャッタ閉状態において開口２３ａ上にて食い合わせ部分（重なる部分）を形成する。このシャッタ羽根３２は、２群枠２３の前方側でシャッタ羽根３１の前面に重畳させた状態で回動ピン穴３２ａを支持ピン２３ｅに嵌入させ、かつ、駆動用長穴３２ｂをシャッタ駆動レバー２９の駆動ピン２９ｃに嵌入させた状態で回動可能に支持される。
【００４２】
遮光羽根３３は、シャッタ開口２３ａをシャッタ羽根３１，３２とで遮蔽した状態でのシャッタ羽根３１，３２の重畳部からの光漏れを遮断し、かつ、シャッタ開時には、シャッタ羽根３１とともにシャッタ開口２３ａから退避可能な遮光部を有している。この遮光羽根３３は、２群枠２３の前面側にてシャッタ羽根３２の前面側の遮光部の縁部である開口縁部３２ｃを覆った状態で該シャッタ羽根３２をシャッタ羽根３１とで挟んだ状態で配置される。その取り付け状態で回動ピン穴３３ａを支持ピン２３ｆに嵌入させ、かつ、駆動用長穴３３ｂをシャッタ駆動レバー２９の駆動ピン２９ｃに嵌入させた状態で回動可能に支持される。
【００４３】
遮光羽根３３の前面にさらに遮光シート２４を乗せて、覆った状態とする。なお、遮光シート２４には、シャッタ開口部２３ａと等しい大きさの中央開口部２４ａや駆動ピン２９ｃの逃げ穴２４ｃや２群枠付勢バネ３５の逃げ部２４ｂ等が設けられている。
【００４４】
シャッタ羽根３１，３２と遮光羽根３３および遮光シート２４が組み込まれた２群枠２３には、その前面にシャッタ蓋２５が２群枠２３の係止ピン２３ｈ，２３ｉ，２３ｊで係止されて装着され、ユニット化される。なお、シャッタ蓋２５には、駆動ピン２９ｃの逃げ穴２５ｃや２群枠付勢バネ３５の逃げ部２５ｂ等が設けられている。
【００４５】
上述したようにユニット化された２群枠２３は、２群ガイド枠２１に対してその前面側からガイド凸部２３ｂを２群ガイド枠２１のガイド凹部２１ｄに摺動自在に嵌入させた状態で装着される。さらに、その装着状態で枠蓋２６を２群ガイド枠２１の前面にガイド枠の位置決めピンで位置決めした状態ではめ込み、枠蓋２６の係止穴部２６ｂを２群ガイド枠２１のフック部２１ｆに係止させて仮止め状態とする。そこで、ガイドロッド２７を枠蓋２６のロッド支持穴２６ｃに挿通させてその先端部を２群ガイド枠２１のロッド支持穴２１ｃに圧入して固定する。なお、その固定状態でガイドロッド２７には、枠蓋２６と２群枠２３の間に２群枠付勢バネ３５が圧縮状態で挿入される。
【００４６】
上記フォーカスユニット７の組み立て状態においては、２群枠２３は、２群ガイド枠２１に対してフォーカスモータ４１の回転に従って光軸Ｏ方向に相対的に進退駆動（フォーカス駆動）される。次に、そのフォーカス駆動機構部について説明する。
【００４７】
上記フォーカス駆動機構部の主要構造は、２群枠２３の正面図である図７のＡ−Ａ断面図である図９に示されている。フォーカス駆動時、フォーカスモータ４１によりギヤ列４６を介して回転駆動される終段ギヤ４９は、送りネジ５０およびギヤ支持軸５１を一体的に備えている。ギヤ支持軸５１の両端は、ＬＤ地板２２に軸穴２２ｃと２群ガイド枠２１の軸穴２１ｅに回転自在に支持されている。また、送りネジ５０には相対駆動用ナット５２が螺合している。ナット５２は、凸部５２ａを有しており、その凸部５２ａは、２群ガイド枠２１の凹部２１ｈに摺動自在に嵌入している。従って、終段ギヤ４９が回転すると、ナット５２は、回転規制された状態で送りネジ５０に沿って光軸Ｏと平行方向に移動する。
【００４８】
２群枠２３は、後方に突出する１つの頂点をもつ突起部２３ｈと２つの頂点を持つ単一の突起部２３ｉを有しおり、また、付勢バネ３５により後方への付勢力Ｆ０  を常時受けている。従って、２群枠２３の突起部２３ｈと突起部２３ｉの３点の頂部は、相対駆動用ナット５２に常時当接する。フォーカシング時にフォーカスモータ４１の出力軸が回転駆動されると、終段ギヤ４９の回転に伴って２群枠２３は、ナット５２を介して付勢バネ３５の付勢力に抗して押圧され、２群ガイド枠２１およびＬＤ地板２２に対して相対的にＺ方向（光軸Ｏと平行）に沿って進退駆動される。
【００４９】
上述した２群枠２３の上記相対移動時およびシャッタ開閉時にて、２群枠２３は、２群ガイド枠２１に固着されたガイドロッド２７に支持され、かつ、２群ガイド枠２１の凹部２１ｄによって回転規制されて保持されるが、凹部２１ｄとそれに嵌入する２群枠２３のガイド凸部２３ｂとには僅かな嵌合ガタがあって、２群枠２３が２群ガイド枠２１に対して僅かに回動方向にガタつく可能性がある。しかし、２群ガイド枠２１に固着された磁石部材３７により２群枠２３に固着された鉄板部材３８が吸引力を受けるので２群枠２３がガイドロッド２７回りに反時計回り（図７上にて）に片寄せされ、移動時、あるいは、シャッタ開閉時の僅かな相対回動ガタつきが抑えられる。
【００５０】
また、２群枠２３が２群ガイド枠２１に対して相対移動するとき、プランジャ５６の先端のシャッタ駆動レバー先端部２９ｃに対する当接位置は、光軸Ｏに相対移動する。
【００５１】
次に、２群枠２３に組み込まれたシャッタ羽根，遮光羽根の開閉動作について図７，８のシャッタ閉，開状態での正面図等を用いて説明する。
シャッタ閉状態に切り換えるためにプランジャソレノイド装置５５をオン状態からオフ状態に切り換えると、図８に示すシャッタ開状態から図７に示すシャッタ閉状態に切り換わる。すなわち、ソレノイド装置５５がオフ状態となると、プランジャ５６が吸引位置から突出し、シャッタ駆動レバー２９を反時計回りにシャッタ閉位置まで回動駆動する。
【００５２】
シャッタ駆動レバー２９が該シャッタ閉位置まで回動すると、該駆動レバー２９によりシャッタ羽根３１は、支持ピン２３ｄ中心に反時計回りに閉位置まで駆動され、同時に、シャッタ羽根３２は、支持ピン２３ｅ中心に時計回りに閉位置まで回動駆動される。このシャッタ閉状態では、シャッタ開口２３ａは、シャッタ羽根３１，３２で協働して覆われた閉状態となる。
【００５３】
一方、遮光羽根３３は、シャッタ駆動レバー２９により支持ピン２３ｆ中心にシャッタ羽根３１と同一の反時計回りに閉位置まで回動駆動される。このシャッタ閉状態で遮光羽根３３の遮光部は、閉位置にあるシャッタ羽根３２の開口縁部３２ｃの上を覆う状態となる。遮光羽根３３は、支持ピン２３ｆの位置がシャッタ羽根３１のための支持ピン２３よりも駆動ピン２９ｃに対して外側にあるため、遮光羽根３３の回動駆動角度は、シャッタ羽根３１の回動駆動角度より少ない。
【００５４】
そして、上記シャッタ閉状態では、遮光シート２４の中央開口部２４ａからの撮影光は、直接的にはシャッタ羽根３２の開口縁部３２ｃに到達せず、遮光羽根３３の隙間を通らないと開口縁部３２ｃに達することができない。
【００５５】
一方、シャッタ開状態にするためにプランジャソレノイド装置５５をオフからオン状態に切り換えると、プランジャ５６が突出位置から吸引され、図８に示すようにシャッタ駆動レバー２９がシャッタバネ３０の付勢力で時計回りにシャッタ開位置まで回動する。シャッタ駆動レバー２９が該シャッタ開位置に回動すると、シャッタ羽根３１は、支持ピン２３ｄ中心に時計回りに開位置まで回動する。同時に、シャッタ羽根３２は、支持ピン２３ｅ中心に反時計回りに開位置まで回動する。さらに、遮光羽根３３は、支持ピン２３ｆ中心に時計回りに開位置まで回動する。この状態では、シャッタ羽根３１，３２および遮光羽根３３が共にシャッタ開口２３ａ上から退避し、シャッタ開放状態となる。このシャッタ開放動作においても遮光羽根３３のシャッタ羽根３１と同一方向に回動し、かつ、その回動角はシャッタ羽根３１より少ない。
【００５６】
なお、本実施形態のレンズ鏡筒が撮像素子を有するデジタルカメラに装着される場合、撮影前の状態でシャッタ装置は、図８に示す開放状態に保持されており、撮影開始後、露光終了に関連してシャッタ装置は、図７に示す閉状態に切り換えられる。一方、本レンズ鏡筒が銀塩フィルムを使用するカメラに装着される場合には、撮影前の状態でシャッタ装置は、図７に示す閉状態に保持されており、露光開始に関連して図８に示す開状態に切り換えられ、露光終了時に図７の閉状態に戻される。
【００５７】
上述した開閉動作において、プランジャソレノイド装置５５のソレノイド５８に駆動電圧が印加され、通電されたとき、ソレノイド５５により磁束が発生する。その磁束によってプランジャ５６が吸引されるが、上記磁束は、プランジャ５６とヨーク５９とにより形成される磁気回路を通る。さらに、ソレノイド５５による上記磁束に付加して、２群ガイド枠２１に固着された磁石部材３７による磁束がプランジャ５６先端と２群枠２３に固着された鉄板部材３８との間の磁気回路にも通る。その付加された磁束によりプランジャ５６が受ける吸引力がわずかに増えることになる。従って、シャッタ羽根３１，３２および遮光羽根３３は、より強い吸引力を受け、素早く、かつ、確実に開放方向に回動される。
【００５８】
図１０は、プランジャソレノイド装置５５のプランジャストロ−クに対する吸着力量特性を示す線図であって、磁石部材３７および鉄板部材３８を２群ガイド枠２１および２群枠２３のプランジャ近傍に取り付けた場合と、取り付けない場合における実測した特性差を示している。但し、２群ガイド枠２１に装着される磁石部材３７における外面側面（プランジャ５６の先端側）の磁極は、ソレノイド通電時のプランジャ先端の磁極（Ｓ極、または、Ｎ極）と反対の極（Ｎ極、または、Ｓ極）とする。図１０に示すようにプランジャ５６の使用範囲において上記磁石部材の装着により吸着力量の０．０１Ｎ程度の増加が実験上に認められた。
【００５９】
また、上記開閉動作において、プランジャソレノイド装置５５がオン、または、オフ駆動された場合、プランジャ５６の出没による衝撃力は、該ソレノイド装置が固着されるＬＤ地板２２および２群ガイド枠２１で受ける。一方、２群枠２３は、ＬＤ地板２２と一体化される２群ガイド枠２１に対してガイドロッド２７とガイド凹部２１ｄを介して、間接的に進退可能な状態で支持されている。従って、上記プランジャ５６の出没による衝撃力は、直接的には２群レンズ１２を保持する２群枠２３には伝達されず、上記衝撃力によるシャッタ羽根のぶれは極めて少ない。
【００６０】
上述したように本実施形態のレンズ鏡筒によれば、フォーカスユニット７の２群レンズ１２を保持する２群枠２３には、シャッタ羽根を開閉駆動するプランジャソレノイド装置５５が直接的に取り付けられていない。従って、上記開閉駆動時のプランジャ５６の衝撃による２群レンズの揺れが発生しにくく、シャッタぶれの少ない良好な撮影画像を得ることができる。また、プランジャソレノイド装置５５が２群枠２３に取り付けられていないことから２群枠２３の重量が軽く、フォーカシング駆動時における負荷抵抗が少なくなり、素早いフォーカシング駆動が可能になる。
【００６１】
さらに、磁石部材３７および鉄板部材３８を２群ガイド枠２１および２群枠２３に取り付けたことによって、２群枠２３が２群ガイド枠２１に対して相対移動時、あるいは、シャッタ開閉時の僅かな相対回動ガタつきが抑えられ、像ぶれのない撮影が可能になる。
【００６２】
また、上述のように磁石部材３７，鉄板部材３８が２群ガイド枠２１，２群枠２３に取り付けられていることによって、副次的にプランジャソレノイド装置５５がオン時におけるプランジャ５６の吸着力量が増える。その吸着力量の増加によりシャッタ羽根の開放駆動が確実に行われる。あるいは、ソレノイド５８のアンペアーターンを減らすことも可能になり、省電力化や小型化が可能になる。そして、磁石部材３７，鉄板部材３８がプランジャ５６とは別に枠部材に固着されることから前述した特許文献１に記載された電磁機構のようにプランジャの質量増加がなく、吸引，突出時のタイムラグが生じない。
【００６３】
また、磁石部材３７と鉄板３８とは、２群枠２３の保持部外周２３ｋとシャッタ駆動レバー２９とプランジャソレノイド装置５５とでできる三角状の隙間に配されることからフォーカスユニット７の占有エリアが増加することはない。
【００６４】
【発明の効果】
上述のように本発明によれば、プランジャ動作力量特性を応答性を低下させることなく改善できるシャッタ駆動装置を提供することを可能となり、また、上記シャッタ駆動装置が組み込まれた鏡枠ぶれの少ないレンズ鏡筒を提供することが可能になる。
【図面の簡単な説明】
【図１】本発明の一実施形態のレンズ鏡筒の撮影可能なズームワイド状態における縦断面図である。
【図２】図１のレンズ鏡筒の撮影可能なズームテレ状態における縦断面図である。
【図３】図１のレンズ鏡筒に内蔵されるフォーカスユニットの斜視図である。
【図４】図３のフォーカスユニットの分解斜視図である。
【図５】図３のフォーカスユニットの２群枠におけるシャッタ羽根とシャッタ駆動レバーの組み付け配置状態を示す斜視図である。
【図６】図３のフォーカスユニットの２群枠を後方から見た斜視図であって、２群枠の鉄板部材とＬＤ地板側のプランジャソレノイド装置と２群ガイド枠側の磁石部材の位置関係を示す。
【図７】図３のフォーカスユニットの２群枠上のシャッタ羽根の閉状態を前方（被写体側）から見た正面図であって、フォーカス駆動機構部の配置、および、プランジャソレノイド装置と磁石部材と鉄板部材の光軸直交断面上での配置を合わせて示す。
【図８】図３のフォーカスユニットの２群枠上のシャッタ羽根の開状態を前方から見た正面図である。
【図９】図７のＡ−Ａ断面図であって、２群枠のフォーカス駆動機構部を示す。
【図１０】図３のフォーカスユニットに内蔵されるプランジャソレノイド装置のプランジャストロ−クに対する吸着力量特性を示す線図であって、磁石と鉄板部材とをプランジャ近傍に装着した場合と、装着しない場合との特性差を示す。
【符号の説明】
２１  …２群ガイド枠（第１の枠）
２２  …ＬＤ地板（第１の枠）
２３  …２群枠（第２の枠）
３１，３２…シャッタ羽根
３７  …磁石部材（磁石）
３８  …鉄板部材（磁性体）
５６  …プランジャ
５８  …ソレノイド
【図１】
2005043513.tif 000003
【図２】
2005043513.tif 000004
【図３】
2005043513.tif 000005
【図４】
2005043513.tif 000006
【図５】
2005043513.tif 000007
【図６】
2005043513.tif 000008
【図７】
2005043513.tif 000009
【図８】
2005043513.tif 000010
【図９】
2005043513.tif 000011
【図１０】
2005043513.tif 000012